(57)【要約】【目的】通信履歴リストを表示して通信相手を選択して発呼する場合、同じ名前が多数連続して表示されないようにする「車載電話装置」を提供することである。【構成】携帯電話機を介して相手先と通信する車載の車載電話装置において、携帯電話機より受信した全ての通信履歴データに日付が含まれている場合には、該通信履歴データを日付順にソーティングしてなる通信履歴リストを保存し、全ての通信履歴データに日付が含まれていない場合には、ソーティングせず、携帯電話機から受信した順に並べてなる通信履歴リストを保存する。また、携帯電話機より受信した通信履歴データの中に日付を含む通信履歴データと日付を含まない通信履歴データが混在する場合は、日付を含む通信履歴データを日付順にソーティングし、該ソーティングされたリストの後に、日付を含まない通信履歴データを携帯電話機から受信した順に配列してなる通信履歴リストを保存する。【選択図】図３
2011114517.tif 000002
【特許請求の範囲】
【請求項１】
携帯電話機を介して相手先と通信する車載電話装置において、
携帯電話機との間で、音声データ、通信履歴データ、各種制御データの送受を行なう通信手段、
携帯電話機より前記通信手段を介して受信した通信履歴データをソーティングするソーティング手段、
ソーティングされた通信履歴リストを保存する保存部、
要求により前記保存されている通信履歴データを表示する表示部、
を備え、
前記ソーティング手段は、携帯電話機より受信した全ての通信履歴データに日付あるいは日時が含まれている場合には、該通信履歴データを日付順あるいは日時順にソーティングして通信履歴リストを前記保存部に保存し、全ての通信履歴データに日付あるいは日時が含まれていない場合には、ソーティングせず、該携帯電話機から受信した順に通信履歴リストを前記保存部に保存する、
ことを特徴とする車載電話装置。
【請求項２】
携帯電話機より受信した通信履歴データの中に日付あるいは日時を含む通信履歴データと日付あるいは日時を含まない通信履歴データが混在する場合、前記ソーティング手段は、日付あるいは日時を含む通信履歴データを日付順あるいは日時順にソーティングし、該ソーティングされたリストの後に、日付あるいは日時を含まない通信履歴データを携帯電話機から受信した順に配列してなる通信履歴リストを前記保存部に保存する、
ことを特徴とする請求項1記載の車載電話装置。
【請求項３】
日付順によるソーティングに際して、日付が同じ場合、前記ソーティング手段は、携帯電話機から受信した順に通信履歴データを配列する、
ことを特徴とする請求項1又は2記載の車載電話装置。
【発明の詳細な説明】
【技術分野】
【０００１】
本発明は車載電話装置に係り、特に、携帯電話機を介して相手先と通信する車載電話装置に関する。
【背景技術】
【０００２】
車載電話装置は、携帯電話機を介して相手先とハンズフリーで電話するようになっている。かかる車載電話装置は、相手電話番号を直接入力によることにより発呼をすることができるが、携帯電話機からダウンロードされてくる通信履歴データ(発信履歴データ、着信履歴データ)の電話番号を用いても発呼できるようになっている(特許文献１)。すなわち、車載電話装置は、携帯電話機より最新の所定数n件分の発信履歴データ(相手氏名、電話番号、発信日付)及び着信履歴データ(発信者氏名、発信者電話番号、着信日付)をそれぞれ取得してメモリに記憶しておき、ユーザーの要求により適宜、発信履歴リストあるいは着信履歴リストをスクロール可能に表示し、電話したい相手の氏名を選択することにより発呼できるようになっている。
【０００３】
ところで、従来の車載電話装置は、車載電話機よりダウンロードされてくる通信履歴データ（発信履歴データ、着信履歴データ）を最新の日付順あるいは日時順にソーティングし、同じ日付のデータがあれば電話番号順あるいは氏名の語順（あいうえお順、アルファベット順）にソーティングしてメモリに保存する。このようにソーティングされていると、通信履歴リストを表示して相手氏名を選択して発呼する際、図９に示すように日付順あるいは日時順にソーティングされた通信履歴リストが表示されるため、同じ名前が多数連続することがなくなり、発呼相手を選択する上で何らの問題は生じない。
しかし、以上は、通信履歴データに日付あるいは日時が含まれている場合である。携帯電話機によっては、ダウンロードされる通信履歴データに日付あるいは日時が含まれていない場合や、含まれている通信履歴データと含まれていない通信履歴データとが混在する場合がある。従来、(1) 通信履歴データに日付あるいは日時が含まれていない場合、電話番号順あるいは氏名の語順にソーティングしてメモリに保存し、(2) 日付あるいは日時が含まれている通信履歴データと含まれていない通信履歴データとが混在する場合、含まれている通信履歴データについては最新の日付順あるいは日時順にソーティングし、含まれていない通信履歴データについては電話番号順あるいは語順にソーティングして日付有りのリストの後に配置してメモリに保存する。しかし、かかる電話番号順あるいは氏名の語順にソーティングすると、同じ名前が多数連続して並ぶことになる、このため、通信履歴リストを表示して相手氏名を選択して発呼する際、図１０に示すように同じ名前（図では井上）が多数連続して表示されることとなり、極端な場合、すべて同じ名前が表示されるなどして、発呼相手を選択する上で不便であった。
【先行技術文献】
【特許文献】
【０００４】
【特許文献１】特開２００９−１１１５９０号公報
【発明の概要】
【発明が解決しようとする課題】
【０００５】
以上から、本発明の目的は、(1) 通信履歴データに日付あるいは日時が含まれていない場合であっても、あるいは(2) 日付あるいは日時が含まれている通信履歴データと含まれていない通信履歴データとが混在する場合であっても、通信履歴リストにおいて同じ名前が多数連続して並ぶことがないようにしでき、これにより通信履歴リストを表示して相手氏名を選択して発呼する際、同じ名前が多数連続して表示されないようにできる車載電話装置を提供することである。
【課題を解決するための手段】
【０００６】
本発明は、携帯電話機を介して相手先と通信する車載電話装置であり、携帯電話機との間で、音声データ、通信履歴データ、各種制御データの送受を行なう通信手段、携帯電話機より前記通信手段を介して受信した通信履歴データをソーティングするソーティング手段、ソーティングされた通信履歴リストを保存する保存部、要求により前記保存されている通信履歴データを表示する表示部を備え、前記ソーティング手段は、携帯電話機より受信した全ての通信履歴データに日付あるいは日時が含まれている場合には、該通信履歴データを日付順あるいは日時順にソーティングして通信履歴リストを前記保存部に保存し、全ての通信履歴データに日付あるいは日時が含まれていない場合には、ソーティングせず、該携帯電話機から受信した順に通信履歴リストを前記保存部に保存する。
また、前記ソーティング手段は、携帯電話機より受信した通信履歴データの中に日付あるいは日時を含む通信履歴データと日付あるいは日時を含まない通信履歴データが混在する場合、日付あるいは日時を含む通信履歴データを日付順あるいは日時順にソーティングし、該ソーティングされたリストの後に、日付あるいは日時を含まない通信履歴データを携帯電話機から受信した順に配列してなる通信履歴リストを前記保存部に保存する。
また、前記ソーティング手段は、日付順によるソーティングに際して、日付が同じ場合、携帯電話機から受信した順に通信履歴データを配列する。
【発明の効果】
【０００７】
本発明によれば、携帯電話機より受信した全ての通信履歴データに日付あるいは日時が含まれている場合には、該通信履歴データを日付順あるいは日時順にソーティングしてなる通信履歴リストを前記保存部に保存し、全ての通信履歴データに日付あるいは日時が含まれていない場合には、ソーティングせず、該携帯電話機から受信した順に並べてなる通信履歴リストを前記保存部に保存するようにしたから、通信履歴データに日付あるいは日時が含まれていない場合であっても、通信履歴リストにおいて同じ名前が多数連続することがないようにでき、これにより通信履歴リストを表示して相手氏名を選択して発呼する際、同じ名前が多数連続して表示されないようにでき、発呼相手を容易に選択することが可能となり操作性能を向上することができる。
また、本発明によれば、日付あるいは日時を含む通信履歴データを日付順あるいは日時順にソーティングし、該ソーティングされたリストの後に、日付あるいは日時を含まない通信履歴データを携帯電話機から受信した順に結合してなる通信履歴リストを前記保存部に保存するようにしたから、日付あるいは日時が含まれている通信履歴データと含まれていない通信履歴データとが混在する場合であっても、通信履歴リストにおいて同じ名前が多数連続することがないようにでき、これにより通信履歴リストを表示して相手氏名を選択して発呼する際、同じ名前が多数連続して表示されないようにでき、発呼相手を容易に選択することが可能となり操作性能を向上することができる。
また、本発明によれば、日付順によるソーティングに際して、日付が同じ場合、前記ソーティング手段は、携帯電話機から受信した順に通信履歴データを配列するようにしたから、通信履歴リストにおいて同じ名前が多数連続することがないようにできる。
【図面の簡単な説明】
【０００８】
【図１】本発明の概要説明図その１である。
【図２】本発明の概要説明図その２である。
【図３】車載電話装置の構成図である。
【図４】本発明の車載電話機が所定の携帯電話機より通信履歴データをダウンロードして表示するまでの操作及び表示例説明図その１である。
【図５】本発明の車載電話機が所定の携帯電話機より通信履歴データをダウンロードして表示するまでの操作及び表示例説明図その２である。
【図６】本発明の車載電話機が所定の携帯電話機より通信履歴データをダウンロードして表示するまでの操作及び表示例説明図その３である。
【図７】本発明のソーティング処理フローである。
【図８】日付順に通信履歴データをソーティングする処理のフローである。
【図９】日付順あるいは日時順にソーティングされた通信履歴リストである。
【図１０】従来技術の問題点を説明する表示例である。
【発明を実施するための形態】
【０００９】
(Ａ) 本発明の概要
図１、図２は本発明の概要説明図である。
携帯電話機を介して相手先と通信する車載の車載電話装置は、携帯電話機より受信した通信履歴データの中に日付あるいは日時を含む通信履歴データと日付あるいは日時を含まない通信履歴データが混在する場合、日付あるいは日時を含む通信履歴データを日付順あるいは日時順にソーティングして通信履歴リストLTDTを作成し、該ソーティングされた通信履歴リストLTDTの後に、日付あるいは日時を含まない通信履歴データを携帯電話機から受信した順に配列してなる通信履歴リストLTRVを配置してメモリに保存する。以上のように通信履歴リストCLSTを作成すれば、該通信履歴リストCLSTにおいて同じ名前が多数連続することはない。これは、携帯電話機は通信履歴データを記憶順にダウンロードするが、通信履歴データを電話番号順や氏名の語順で記憶する可能性は低いためである。以上により通信履歴リストを表示して発呼相手を選択して発呼する際、図２（Ａ）の通信履歴リストLTRVに示すように同じ名前が多数連続して表示されないようにでき、発呼相手を選択して発呼する際の操作性能が向上する。
【００１０】
以上は、携帯電話機より受信した通信履歴データの中に日付あるいは日時を含む通信履歴データと日付あるいは日時を含まない通信履歴データが混在する場合であるが、携帯電話機より受信した全ての通信履歴データに日付あるいは日時が含まれていない場合もある。かかる場合には、ソーティングせず、該携帯電話機から受信した順に通信履歴リストをメモリに保存する。このように通信履歴リストを作成すれば、該通信履歴リストにおいて同じ名前が多数連続することはない。これは、図１と同じ理由による。すなわち、携帯電話機は通信履歴データを記憶順にダウンロードするが、通信履歴データを電話番号順や氏名の語順で記憶する可能性は低いためである。この結果、通信履歴リストを表示して発呼相手を選択して発呼する際、図２(Ｂ)に示すように同じ名前が多数連続して表示されないようにでき、発呼相手を選択して発呼する際の操作性能が向上する。
【００１１】
(Ｂ) 車載電話装置
図３は車載電話装置の構成図である。
車載電話装置１０は、携帯電話機２０を用いてハンズフリーで相手先と通信できるようになっており、該携帯電話機２０とは無線により、たとえばBluetooth(ブルーツース:登録商標)通信により音声データ、通信履歴データ、各種制御データの送受を行なう。
車載電話装置１０において、制御部１１は、通信履歴データ（発信履歴データ、着信履歴データ）のソーティング処理や表示制御処理、発着信制御処理等を行う。ブルーツース通信部１２は、ブルーツース通信機能を備え、携帯電話機２０との間で、音声データや通信履歴データ、各種制御データの送受を行なう。メモリ１３は、制御部１１によりソーティングされた通信履歴リスト（発信履歴リストOCLST、着信履歴リストTCLST）、その他のデータを保存する。タッチパネル付き表示部１４は制御部１１からの指示に従って適宜、各種メニュー、ソフトキー、通信履歴リスト等を表示し、また、タッチされたソフトキーに応じたコマンドを制御部１１に入力するようになっている。操作キー部１５はソフトキーから入力しない種々のコマンドやデータを制御部１１に入力する。音声制御部１６はマイクロホン１７から入力した音声に所定の音声処理を施すと共に、通信相手からの音声信号に所定の音声処理を施してスピーカ１８から出力する。マイクロホン１７はユーザーが発した音声を集音しやすい場所に配置され、スピーカは車載オーディオ機器のスピーカと兼用することができる。
【００１２】
制御部１１は、通信履歴データのソーティングに際して、携帯電話機２０より受信した通信履歴データの中に日付あるいは日時（以下両者を含めて日付という） を含む通信履歴データと日付を含まない通信履歴データとが混在する場合、図１に示すように、日付を含む通信履歴データを日付順にソーティングして通信履歴リストLTDTを作成し、該ソーティングされた通信履歴リストLTDTの後に、日付を含まない通信履歴データを携帯電話機から受信した順に配列してなる通信履歴リストLTRVを配置してメモリ１３に保存する。
また、制御部１１は、携帯電話機２０より受信した全ての通信履歴データに日付が含まれていない場合には、ソーティングせず、該携帯電話機から受信した順に通信履歴リストをメモリ１３に保存する。
【００１３】
（Ｃ）車載電話機の全体の操作及び表示例
図４〜図６は本発明の車載電話機が所定の携帯電話機より通信履歴データをダウンロードして表示するまでの操作及び表示例説明図である。
タッチパネル付き表示部１４に電話画面を表示してSettingメニュ１４aを選択する（図４（Ａ））。車載電話機は専用機でも良いが、ハンズフリー機能（自動車電話機能）や車載ナビゲーション機能、オーディオ機能などのインテリジェント機能を備えた車載機であってもよい。かかる車載機を車載電話機とする場合には、電話画面、ナビゲーション画面、オーディオ画面等をタッチパネル付き表示部１４に表示できる。したがって、車載機をハンズフリー電話機として使用する場合には表示部１４に電話画面を表示する必要がある。
Settingメニュー１４aを選択すると、図４（Ｂ)に示すように、表示部１４はSearch Bluetoothメニュー１４bを表示するから該メニューを選択する。これにより、ブルーツース通信部１２は車載電話機１０の周辺であってブルーツース通信が可能な領域内に存在するブルーツースデバイス（ブルーツース通信機能を備えた携帯電話機等）の検索を開始し、表示部１４は図４（Ｃ）に示すように探索中を示すサーチ画面を表示する。そして、ブルーツースデバイス（携帯電話機等）の検索が完了すれば、制御部１１は検索で見つかったブルーツースデバイスリストの一覧を表示１４に表示する（図５（Ａ））。かかる状態で、ユーザーは一覧表示の中から電話通信に使用するブルーツースデバイスを選択する。実際には、ユーザー所有のブルーツース通信機能を備えた携帯電話機を選択するはずである。
【００１４】
ブルーツース通信機能を備えた携帯電話機を選択すれば、制御部１１は表示部１４にパスキーの入力を促すメッセージを表示する（図５（Ｂ））。ここでユーザーが所定のパスキーを入力すると、ブルーツース通信部１２は選択された携帯電話機とのペアリングを開始し、ペアリングが成功すれば、すなわち、選択した携帯電話機と通信可能になれば、該携帯電話機２０に発信履歴及び着信履歴を要求する。尚、表示部１４の表示は最初の電話画面に戻る（図５（Ｃ））。
携帯電話機２０は発信履歴及び着信履歴が要求されると内蔵のメモリに記憶されている発信履歴データ及び着信履歴データを、それぞれブルーツース通信部１２を介して制御部１１にダウンロードする。
【００１５】
発信履歴データ及び着信履歴データがダウンロードされれば、制御部１１は後述する図７、図８に従って、発信履歴データ及び着信履歴データのそれぞれについてソーティングを行い、ソーティングにより得られた発信履歴リストOCLSTおよび着信履歴リストTCLSTをメモリ１３に保存する。
発信履歴リストOCLSTおよび着信履歴リストTCLSTがメモリに保存されている状態で、Dialed List メニュー１４cを選択すると、制御部１１は発信履歴リストOCLSTを用いて図６（A）に示すように表示部１４に発信履歴を表示し、Called List メニュー１４dを選択すると着信履歴リストTCLSTを用いて図６（B）に示すように表示部１４に着信履歴を表示する。
なお、既にペアリングした携帯電話機は、上記の操作をすることなく自動的に発信履歴データ及び着信履歴データをダウンロードする。
【００１６】
（Ｄ）ソーティング処理
図７は本発明のソーティング処理フローである。
制御部１１は、携帯電話機２０より発信履歴データ及び着信履歴データがダウンロードされると、それぞれをについてワーキングメモリに一時的に保存する（ステップ１０１）。なお、ソーティング処理は発信履歴データ及び着信履歴データのそれぞれについて別個に行なわれるが、以下ではこれらを通信履歴データということにしてソーティング処理を説明する。
ついで、全ての通信履歴データに日付があるか、ないか、あるいは、日付のある通信履歴データと日付のない通信履歴データが混在しているか調べる（ステップ１０２）。なお、“日付”は、断わらない限り、純粋に日付のみの場合と、日時の場合の両方を意味する。
全ての通信履歴データに日付があれば、最新のものから日付順（あるいは日時順）に通信履歴データをソーティングし、ソーティング結果である通信履歴リストをメモリ１３に保存する（ステップ１０３）。
ステップ１０２において、全ての通信履歴データに日付がなければ、ソーティングせず、携帯電話機２０からのダウンロード順（受信順）に通信履歴リストをメモリ１３に保存する（ステップ１０４）。
【００１７】
一方、ステップ１０２において、日付のある通信履歴データと日付のない通信履歴データが混在している場合には、日付のある通信履歴データを日付順（あるいは日時順）にソーティングしてリストＬＴＤＴ（図１参照）を作成し（ステップ１０５）、ついで、日付を含まない通信履歴データを、携帯電話機から受信した順に配列してなるリストＬＴＲＶを作成し（ステップ１０６）、図１に示すように日付有りのリストＬＴＤＴの後に日付なしリストＬＴＲＶを結合してメモリ１３に保存する（ステップ１０７）。
【００１８】
図８は、日付に時刻情報が含まれていない場合における図７のステップ１０３、１０５の処理フローである。まず、i＝1とし（ステップ２０１）、日付ありの通信履歴データのうち、第i番目の通信履歴データをワーキングメモリから取り出し、日付順にソーティングする（ステップ２０２）。ついで、ソーティング済みデータの中に第i番目の通信履歴データと同一日付の通信履歴データが存在するか調べ（ステップ２０３）、存在する場合には受信順に並べる（ステップ２０４）。
しかる後、全日付ありの通信履歴データについてソーティングが完了したかチェックし（ステップ２０５）、完了してなければiを歩進し（i＋1→i、ステップ２０６）、以後、ステップ２０２以降の処理を継続する。
以上のように通信履歴リストを作成すれば、通信履歴リストを表示して相手氏名を選択して発呼する際、同じ名前が多数連続して表示されることがなく、発呼相手の選択を容易にでき、操作性能を向上することができる。
以上、実施例では、車載電話機と携帯電話機の間で、ブルーツース通信する場合について説明したが、他の通信方式、例えば無線通信、赤外線通信、有線通信することも可能である。
また、実施例において、日付を含まない通信履歴データは、携帯電話機から受信した順に配列してリストを作成した、日付を含まない通信履歴データを氏名の語順又は電話番号順にソーティングし、同じ電話番号、氏名のものがあれば１つだけ残し他を重複するようにすることも可能である。  
【符号の説明】
【００１９】
１０  車載電話装置
１１  制御部
１２  ブルーツース通信部
１３  メモリ
１４  タッチパネル付き表示部
１５  操作キー部
１６  音声制御部
１７  マイクロホン
１８  スピーカ
２０  携帯電話機
OCLST  発信履歴リスト
TCLST  着信履歴リスト
【図１】
2011114517.tif 000003
【図２】
2011114517.tif 000004
【図３】
2011114517.tif 000005
【図４】
2011114517.tif 000006
【図５】
2011114517.tif 000007
【図６】
2011114517.tif 000008
【図７】
2011114517.tif 000009
【図８】
2011114517.tif 000010
【図９】
2011114517.tif 000011
【図１０】
2011114517.tif 000012